(57)【要約】【課題】小型且つ軽量で操作性が良好な検眼装置を提供する。【解決手段】本発明は、被検者が装着し検眼を行う検眼装置１であって、被検者の顔の眼球周りを覆う筐体２と、筐体２に移動自在に配設される細隙灯部５と、細隙灯部５を駆動し被検者の眼球の配列方向に移動させる駆動部６と、筐体２の内面に配設され被検者の眼球を撮像する撮像部４ａ，４ｂと、少なくとも細隙灯部５の駆動、撮像部４ａ，４ｂによる撮像を制御する制御部と、筐体２に配設され筐体２を被検者に装着するための装着部としてのベルト１０とを備えた検眼装置である。【選択図】図１
2020018605.tif 000002
【特許請求の範囲】
【請求項１】
被検者が装着し検眼を行う検眼装置であって、
被検者の顔の眼球周りを覆う筐体と、
前記筐体に移動自在に配設される細隙灯部と、
前記細隙灯部を駆動し前記被検者の眼球の配列方向に移動させる駆動部と、
前記筐体の内面に配設され前記被検者の眼球を撮像する撮像部と、
少なくとも前記細隙灯部の駆動、前記撮像部による撮像を制御する制御部と、
前記筐体に配設され前記筐体を被検者に装着するための装着部と、を備えた
検眼装置。
【請求項２】
前記細隙灯部は、前記筐体の上面から内部に突出するように配設されている
請求項１に記載の検眼装置。
【請求項３】
前記細隙灯部は、前記筐体の下面から内部に突出するように配設されている
請求項１に記載の検眼装置。
【請求項４】
検眼に関わる画像を表示する表示部を更に有する
請求項１乃至請求項３のいずれか１項に記載の検眼装置。
【請求項５】
前記装着部は、ベルト又はテンプルである
請求項１乃至請求項４のいずれか１項に記載の検眼装置。
【請求項６】
被検者が装着し検眼を行う検眼装置と、前記検眼装置と通信自在な情報端末とを有する検眼システムであって、
前記検眼装置は、
前記情報端末と通信する通信部と、
前記被検者の顔の眼球周りを覆う筐体と、
前記筐体に移動自在に配設される細隙灯部と、
前記細隙灯部を駆動し前記被検者の眼球の配列方向に移動させる駆動部と、
前記筐体の内面に配設され前記被検者の眼球を撮像する撮像部と、
前記撮像により得られた画像信号を画像処理する画像処理部と、
少なくとも前記細隙灯部の駆動、前記撮像部による撮像、及び前記情報端末との通信を制御する制御部と、
前記筐体に配設され前記筐体を被検者に装着するための装着部と、を備え、
前記制御部は、前記画像処理部により得られた画像データを、前記通信部を介して前記情報端末に送信するよう制御し、前記情報端末では前記画像データに基づく表示を行う
検眼システム。
【発明の詳細な説明】
【技術分野】
【０００１】
本発明は、スリット状の照明光斑を被検者の眼に投影する細隙灯を用いた検眼装置等に係り、特に小型且つ軽量の検眼装置、及びそれを用いた検眼システムに関する。
【背景技術】
【０００２】
従来、眼科診察の基本となる検査器具として、スリット状の照明光斑を被検者の眼に投影する細隙灯を用いた細隙灯顕微鏡が一般に用いられている。
【０００３】
細隙灯顕微鏡によれば、被検眼への照明方法にバリエーションを持たせることで、種々の病変部位の観察が可能となる。つまり、被検者の眼に対して細隙灯の光源からの光を角度、色、幅をかえながら照射することで、外眼部（眼瞼、結膜、強膜）、前眼部（角膜、前房、水晶体）、前部硝子体及び眼底構造の異常を把握することが可能となる。
【０００４】
この種の細隙灯顕微鏡として、例えば特許文献１では、被検眼の広域の画像を取得することが可能な細隙灯顕微鏡が開示されている。この文献１の細隙灯顕微鏡は、照明系と撮影系とを含み、照明系は照明合焦機構を含み、照明系は被検眼を細隙光で照明する。そして、照明合焦機構は細隙光のフォーカス位置を変更するために用いられ、撮影系は被検眼からの細隙光の戻り光を撮像装置に導く役割を担う。
【０００５】
一方、細隙灯顕微鏡には、ポータブルなものとしてハンドスリットがあり、これも同様に外眼部、前眼部、眼底等を診察可能となっている。
【先行技術文献】
【特許文献】
【０００６】
【特許文献１】特開２０１６−１５９０７３号公報
【発明の概要】
【発明が解決しようとする課題】
【０００７】
しかしながら、特許文献１に開示された細隙灯顕微鏡は、据え置き型の装置であり、装置全体のサイズや重量が大きく、携帯には好適ではなかった。
【０００８】
一方、前述したようなポータブルのハンドスリットは、眼科専門医向けに開発されたものであり、操作が難しく、重量があり、高価であるといった問題があり、非眼科医が診察に導入したり、実際に使用したりするのが難しいものとなっている。また、静止画や動画を簡便に撮影することは困難であり、リアルタイムに遠隔診断に用いるのは難しい。
【０００９】
近年、在宅患者が増加していることや、眼科医が存在しない自治体が数百以上あることから、在宅や僻地医療において総合診療医や救急医が眼科症状を訴える患者を診察する場面も増えている。例えば、急性録内障発作のような眼科救急疾患の診察には前眼部診察が欠かせないが、仮にハンドスリットが施設にあったとしても、非眼科医では使用できない状況も予想される。そのような状況下、簡易に操作でき、小型、軽量且つ低コストの検眼装置の実現が嘱望されている。
【００１０】
さらに、１台の検眼装置で、簡易視力検査、眼球運動検査、及び黄斑変性の自覚検査など、多数の簡易な視機能検査に対応することは兼ねてから嘱望されている。
【００１１】
本発明は、このような課題に鑑みてなされたものであり、その目的とするところは、小型且つ軽量で操作性が良好な検眼装置、及びそれを用いた検眼システムを提供することにある。
【課題を解決するための手段】
【００１２】
上記課題を解決するため、本発明の第１の態様に係る検眼装置は、被検者が装着し検眼を行う検眼装置であって、被検者の顔の眼球周りを覆う筐体と、前記筐体に移動自在に配設される細隙灯部と、前記細隙灯部を駆動し前記被検者の眼球の配列方向に移動させる駆動部と、前記筐体の内面に配設され前記被検者の眼球を撮像する撮像部と、少なくとも前記細隙灯部の駆動、前記撮像部による撮像を制御する制御部と、前記筐体に配設され前記筐体を被検者に装着するための装着部とを備えている。
【００１３】
本発明の第２の態様に係る検眼システムは、被検者が装着し検眼を行う検眼装置と、前記検眼装置と通信自在な情報端末とを有する検眼システムであって、前記検眼装置は、前記情報端末と通信する通信部と、前記被検者の顔の眼球周りを覆う筐体と、前記筐体に移動自在に配設される細隙灯部と、前記細隙灯部を駆動し前記被検者の眼球の配列方向に移動させる駆動部と、前記筐体の内面に配設され前記被検者の眼球を撮像する撮像部と、前記撮像により得られた画像信号を画像処理する画像処理部と、少なくとも前記細隙灯部の駆動、前記撮像部による撮像、及び前記情報端末との通信を制御する制御部と、前記筐体に配設され前記筐体を被検者に装着するための装着部とを備え、前記制御部は、前記画像処理部により得られた画像データを、前記通信部を介して前記情報端末に送信するよう制御し、前記情報端末では前記画像データに基づく表示を行う。
【発明の効果】
【００１４】
本発明によれば、小型且つ軽量で操作性が良好な検眼装置、及びそれを用いた検眼システムを提供することができる。
【図面の簡単な説明】
【００１５】
【図１】本発明の第１の態様に係る検眼装置の構成図である。
【図２】同装置の細隙灯部の詳細な構成を示す図である。
【図３】同装置の制御系の構成を中心に示したブロック図である。
【図４】同装置の表示部による表示例を示す図である。
【図５】本発明の第２の態様に係る検眼装置の構成図である。
【図６】本発明の第３の態様に係る検眼装置の構成図である。
【図７】本発明の第４の態様に係る検眼システムの構成図である。
【図８】サーバ装置の詳細な構成を示す図である。
【発明を実施するための形態】
【００１６】
以下、図面を参照しつつ本発明の実施形態について説明する。
【００１７】
＜第１実施形態＞
【００１８】
図１には、本発明の第１の実施形態に係る検眼装置の構成を示し説明する。より詳細には、図１（ａ）には同装置の斜視図を示し、図１（ｂ）には同装置の断面図を示し、その構成及び作用について詳細に説明する。
【００１９】
同図に示されるように、本実施形態に係る検眼装置１は、ゴーグル型の筐体２を備えており、筐体２の上面には、制御ユニット３が配設されている。この制御ユニット３と電気的に接続された２つの撮像部４ａ，４ｂが筐体２の内部上面に配設されている。筐体２における、制御ユニット３の配設位置よりも手前、つまり被検者側には、細隙灯部５が被検者の眼球の配列方向に移動自在に設けられている。
【００２０】
より詳細には、筐体２の上部平面の一端には、モータ等を含む駆動部６が配設されており、該駆動部６に駆動軸７の一端が係合し、筐体２の上部平面の他端に配設された固定部８に駆動軸７の他端が係合している。この例では、駆動軸７にはスクリュー溝等が刻まれており、細隙灯部５の外面にもスクリュー溝等が刻まれており、これら両者が螺合しているので、駆動部６により駆動軸７が回動されると、それに伴って細隙灯部５が図中矢印で示す方向に移動する。駆動を実現する構成は、これには限定されない。
【００２１】
筐体２の内部前面には、液晶表示素子等からなる表示部９が配設されており、検眼に関わる各種表示を行うことが可能となっている。例えば、表示部９を、左右２つの領域に分け、それぞれに右目用、左目用といった視差のある画像を表示することも可能である。このほか、筐体２は、本装置を被検者の頭部に装着するための装着部としてのベルト１０が設けられている。本装置１は、筐体２の凹部２ａを被検者が鼻に当てて、頭部にベルト１０を装着するだけで装着できる構成となっている。
【００２２】
ここで、図２には、本発明の第１の実施形態に係る検眼装置１の細隙灯部５の内部の光学系の構成を示し説明する。
【００２３】
同図に示されるように、光源２２としては白色ＬＥＤを採用しており、該光源２２は電源部２１に接続されている。電源部２１は、制御ユニット３内部の電池等からの電力供給を受け、光源２２に電源供給する。
【００２４】
光源２２の出射光の光路上には、反射ミラー２３、コンデンサレンズ２４、フィルタ部２５、投影レンズ２６、及び照明プリズム２７が、この順に配設されている。以上に加えて、細隙灯部５の照明プリズム２７の出射面にカラーフィルタを開閉自在、又は装着自在に設けてもよいことは勿論である。
【００２５】
このような構成によれば、光源２２としての白色ＬＥＤからの光は、反射ミラー２３で反射され、コンデンサレンズ２４により集光された後、フィルタ部２５を介して投影レンズ２６に導かれる。そして、投影レンズ２６より照明プリズム２７に光が投影され、照明プリズム２７で前方向に光路が変更されて出射される。
【００２６】
この出射時に、半透明のすりガラスで構成されたフィルタの併用によりディフューザ機能を実現させてもよい。また、この例では、フィルタ部２５は、カラーフィルタ機能を備えた第１フィルタ部と、スリットが形成された第２フィルタ部とで構成されている。これらは、所謂カートリッジ式としてもよく、その場合、所望とする色（例えば青色）を備えたフィルタや所望とするスリット形状のフィルタをユニットに差し込むだけで交換自在とすることも可能である。
【００２７】
図３には、本発明の第１の実施形態に係る検眼装置の制御系の構成を示し説明する。
【００２８】
同図に示されるように、検眼装置１の制御系は、全体の制御を司るＣＰＵ（Central Processing Unit）等の制御部３０を有しており、制御部３０は通信部３１、駆動部６、細隙灯部５、撮像部４、表示部９、記憶部３２、音声入力部３３、音声出力部３４、及び操作部３６と接続されている。制御部３０には、バッテリ等の電源部３５より電源供給がなされ、制御部３０より各部に電源供給されるように構成されている。
【００２９】
通信部３１は、外部のサーバ装置や情報端末と通信するための通信インタフェースである。駆動部６は、細隙灯部５を駆動するためのものであり、モータ等を有している。
【００３０】
撮像部４は、ＣＣＤ（Charge Coupled Device）等の撮像素子からなり、被検者の眼を撮影する。表示部９は、ＬＣＤ（Liquid Crystal Display）等からなり検眼に関わる各種表示を行う。記憶部３２は、ＲＡＭ（Random Access Memory）やＲＯＭ（Read Only Memory）などのメモリや、ＨＤＤ（Hard Disc Drive）等からなり、制御部３０で実行されるプログラムを記憶している。
【００３１】
音声入力部３３は、マイクロフォン等からなり、集音を行う。音声出力部３４は、スピーカ等からなり、音声ガイド等を行う。操作部３６は、操作ボタン等を含み、本装置の動作開始等を操作入力により指示するためのものである。
【００３２】
そして、制御部３０は、記憶部３２のプログラムを読み出して実行することで、主制御部３０ａ、画像処理部３０ｂ、表示制御部３０ｃ、駆動制御部３０ｄ、通信制御部３０ｅ、音声認識部３０ｆ、及び判定部３０ｇとして機能する。
【００３３】
このような構成において、主制御部３０ａは、統括的な制御を司る。画像処理部３０ｂは、撮像部４で得られた画像信号を処理する。表示制御部３０ｃは、表示部９による検眼に関わる各種表示を制御する。駆動制御部３０ｄは、駆動部６に制御信号を送出し、当該駆動部６に含まれるモータ等の駆動を制御し、細隙灯部５を移動させる。
【００３４】
通信制御部３０ｅは、通信部３１による送受信を制御する。音声認識部３０ｆは、音声入力部３３からの音声信号を受けて音声認識処理を行う。そして、判定部３０ｇは、画像処理部３０ｂによる画像処理で得られた画像情報や、音声認識部３０ｆによる音声認識で得られた音声情報等に基づいて、検眼に関わる各種判定を行う。
【００３５】
本検眼装置１により、細隙灯を用いた前眼部診察等を行う際には、制御部３０の駆動制御部３０ｄの制御により、駆動部６が駆動される。駆動部６は、駆動制御部３０ｄからの制御信号に基づいてモータを回転させる。このモータの回転力により、駆動軸７が回転するので、当該駆動軸７に螺合している細隙灯部５は、被検者の眼球の配列方向に沿って移動する。この移動の過程で、主制御部３０ａの制御の下、撮像部４による眼球の撮像を行う。この撮像により取得された画像信号は、画像処理部３０ｂにより処理される。
【００３６】
そして、制御部３０の判定部３０ｇにより、画像処理部３０ｂによる処理後の画像データに基づいて診察に関わる判定を行う。この判定の結果を、検眼装置１の表示部９に表示し、或いは、通信制御部３０ｅの制御の下、通信部３１を介して外部のサーバ装置１や情報端末に送信するようにしてもよい。
【００３７】
あるいは、撮像部４による撮像で取得された画像信号を、画像処理部３０ｂで処理した後に、その画像データを通信制御部３０ｅの制御の下、通信部３１を介して、外部の情報端末等に送信して、当該情報端末で医師等が画像を見て病名等を診断するようにしてもよい。その場合、情報端末で医師等により診断結果が入力されると、通信制御部３０ｅの制御の下、通信部３１にて診断結果に関わるデータを受信し、当該診断結果を表示制御部３０ｃの制御の下、表示部９に表示するようにしてもよい。
【００３８】
また、本発明の第１の実施形態に係る検眼装置１により、上記とは別の検査として、視力検査を実施する場合には、表示部９には、例えば、図４（ａ）及び図４（ｂ）に示されるような表示が行われることになる。
【００３９】
即ち、表示部９には、図４（ａ）に示されるような画面１００が表示され、音声出力部３４から「あいている方向を言ってください。」等といった音声ガイドが出力される。被検者が「右です」のように発音すると、音声入力部３３が当該音声の入力を受け、音声認識部３０ｆが当該音声を認識する。そして、画面を適宜切り換え、上記処理を繰り返し、最終的に判定部３０ｇが、音声認識結果に基づいて、視力を判定する。そして、その結果を、表示制御部３０ｃの制御の下、表示部９に表示する。表示部９による結果表示の様子は、例えば図４（ｂ）に示される画面１０１のようになる。
【００４０】
＜第２実施形態＞
【００４１】
図５には、本発明の第２の実施形態に係る検眼装置の構成を示し説明する。より詳細には、図５（ａ）には同装置５０の斜視図を示し、図５（ｂ）には同装置５０の断面図を示し、その構成及び作用について詳細に説明する。
【００４２】
同図に示されるように、本発明の第２の実施形態に係る検眼装置５０は、ゴーグル型の筐体５１を備えており、筐体５１の上面には、制御ユニット５２が配設されている。この制御ユニット５２と電気的に接続された２つの撮像部５３ａ，５３ｂが筐体５１の内部上面に配設されている。筐体５１の、内部の下面には、細隙灯部５４が被検者の眼球の配列方向に移動自在に設けられている。
【００４３】
より詳細には、筐体５１の内部の下面の一端には、モータ等を含む駆動部５５が配設されており、当該駆動部５５に駆動軸５６の一端が係合し、筐体５１の内部の下面の他端に配設された固定部５７に駆動軸５６の他端が係合している。ここで示した例では、駆動軸５６にはスクリュー溝等が刻まれており、細隙灯部５４の外面にもスクリュー溝等が刻まれており、両者が螺合しているので、駆動部５５のモータの回転により駆動軸５６が回動すると、それに伴って細隙灯部５４が図中矢印で示す方向に移動する。
【００４４】
筐体５１の内部の前面には、液晶表示素子等からなる表示部５８が配設されており、検眼に関わる各種表示を行うことができる。表示部５８を、左右２つの領域に分け、それぞれに右目用、左目用といった視差のある画像を表示することも可能である。このほか、筐体５１は、本システムを被検者の頭部に装着するための装着部としてのベルト５９が設けられている。筐体５１の凹部５１ａを被検者が鼻に当てて、頭部にベルト５９を装着すれば着用できる構成となっている。
【００４５】
なお、本発明の第２の実施形態に係る検眼装置５０の細隙灯部５の内部の光学系の構成は、先に図２に示した構成と同様である。本発明の第２の実施形態に係る検眼装置５０の制御系の構成は、細隙灯部５４、駆動部５５、撮像部５３ａ，５３ｂ、表示部５８の符号が異なる点を除けば、先に図３のブロック図で示した構成と略同様である。そこで、ここでは重複した説明は省略し、同一構成については同一符号を用いて説明を進める。
【００４６】
本検眼装置５０により、細隙灯を用いた前眼部診察等を行う際には、制御部３０の駆動制御部３０ｄの制御により、駆動部５５が駆動される。駆動部５５は、駆動制御部３０ｄからの制御信号に基づいてモータを回転させる。このモータの回転力により、駆動軸５６が回転するので、当該駆動軸５６に螺合している細隙灯部５４は、被検者の眼球の配列方向に沿って移動する。この移動の過程で、主制御部３０ａの制御の下、撮像部５３ａ，５３ｂによる眼球の撮像を行う。この撮像により取得された画像信号は、画像処理部３０ｂにより処理される。そして、判定部３０ｇにより、画像処理部３０ｂによる処理後の画像データに基づいて、診察に関わる判定を行う。この判定結果を、表示部５８に表示し、或いは、通信制御部３０ｅの制御の下、通信部３１を介して外部のサーバ装置１や情報端末に送信するようにしてもよい。
【００４７】
あるいは、撮像部５３ａ，５３ｂによる撮像で取得された眼球の画像信号を、画像処理部３０ｂで処理した後、得られた画像データを、通信制御部３０ｅの制御の下、通信部３１を介して、外部の情報端末等に送信して、当該情報端末で医師等が診断するようにしてもよい。その場合、情報端末で医師等により診断結果が操作入力されると、通信制御部３０ｅの制御の下、通信部３１にて診断結果に関わるデータを受信し、当該診断結果を表示制御部３０ｃの制御の下、表示部５８に表示するようにしてもよい。
【００４８】
＜第３実施形態＞
【００４９】
図６には、本発明の第３の実施形態に係る検眼装置の構成を示し説明する。
【００５０】
同図に示されるように、第３の実施形態に係る検眼装置７０は、ゴーグル型の筐体７１を備えており、筐体７１の上面には、制御ユニット７２が配設されている。この制御ユニット７２と電気的に接続されて、２つの撮像部７３ａ，７３ｂが筐体７１の内部上面に配設されている。筐体７１の、制御ユニット７２の配設位置よりも手前、つまり被検者側には、細隙灯部７４が被検者の眼球の配列方向に移動自在に設けられている。
【００５１】
より詳細には、筐体７１の上部平面の一端にはモータ等を含む駆動部７５が配設されており、該駆動部７５に駆動軸７６の一端が係合し、筐体７１の上部平面の他端に配設された固定部７７に駆動軸７６の他端が係合している。この例では、駆動軸７６にはスクリュー溝等が刻まれており、細隙灯部７４の外面にもスクリュー溝等が刻まれており、両者が螺合しているので、駆動部７５により駆動軸７６が回動されると、それに伴って細隙灯部７４が開口部８１の中を図中矢印で示す方向に移動する。
【００５２】
筐体７１の内部前面には、液晶表示素子等からなる表示部７８が配設されており、検眼に関わる各種表示を行うことが可能となっている。例えば、表示部７８を、左右２つの領域に分け、それぞれに右目用、左目用といった視差のある画像を表示することも可能である。このほか、筐体７１は、本システムを被検者の頭部に装着するための装着部としての眼鏡等で用いられるテンプル７９ａ，７９ｂが設けられている。着用に際しては、筐体７１の凹部７１ａを被検者が鼻に当てて、被検者の耳にテンプル７９ａ，７９ｂを掛ける構成となっている。
【００５３】
なお、本発明の第３の実施形態に係る検眼装置７０の細隙灯部５の内部の光学系の構成は先に図２に示した構成と同様である。本発明の第３の実施形態に係る検眼装置７０の制御系の構成は、細隙灯部７４、駆動部７５、撮像部７３ａ，７３ｂ、表示部７８の符号が異なる点を除けば、先に図３のブロック図で示した構成と略同様である。そこで、ここでは重複した説明は省略し、同一構成については同一符号を用いて説明を進める。
【００５４】
本検眼装置７０により、細隙灯を用いた前眼部診察等を行う際には、制御部３０の駆動制御部３０ｄの制御により、駆動部７５が駆動される。駆動部７５は、駆動制御部３０ｄからの制御信号に基づいてモータを回転させる。このモータの回転力により、駆動軸７６が回転するので、当該駆動軸７６に螺合している細隙灯部７４は、被検者の眼球の配列方向に沿って移動する。この移動の過程で、主制御部３０ａの制御の下、撮像部７３ａ，７３ｂによる眼球の撮像を行う。この撮像により取得された画像信号は、画像処理部３０ｂにより処理される。そして、判定部３０ｇにより、画像処理部３０ｂによる処理後の画像データに基づいて、診察に関わる判定を行う。この判定結果については、表示部７８に表示し、或いは、通信制御部３０ｅの制御の下、通信部３１を介して外部のサーバ装置や情報端末に送信するようにしてもよい。
【００５５】
あるいは、撮像部７３ａ，７３ｂによる撮像で取得された眼球の画像信号を、画像処理部３０ｂで処理した後に、その画像データを、通信制御部３０ｅの制御の下、通信部３１を介して、外部の情報端末等に送信して、当該情報端末で医師等が診断できるようにしてもよい。その場合、情報端末で医師等により診断結果が入力されると、通信制御部３０ｅの制御の下、通信部３１にて診断結果に関わるデータを受信し、当該診断結果を、表示制御部３０ｃの制御の下、表示部７８に表示するようにしてもよい。
【００５６】
＜第４実施形態＞
【００５７】
図７には、本発明の第４の実施形態に係る検眼システムの構成を示し説明する。
【００５８】
本発明の第４の実施形態に係る検眼システムは、前述した第１乃至第３の実施形態のいずれかに係る検眼装置と、サーバ装置及び情報端末の少なくともいずれかを構成として備えたものとなっている。
【００５９】
同図に示されるように、第４の実施形態に係る検眼システムは、第１乃至第３の実施形態で前述した検眼装置１、５０，７０のいずれかを採用し、当該検眼装置がインターネット等のネットワーク２０１を介してサーバ装置２００や情報端末２０２と通信自在に接続され、構成されている。情報端末２０２としては、スマートフォンやタブレット端末、更にはノート型パーソナルコンピュータ等を採用することができる。
【００６０】
このような構成において、検眼装置１（又は５０，７０）により細隙灯部５を駆動しながら、撮像部４ａ，４ｂによる撮影がなされると、画像処理部３０ｂにより画像処理がなされて、得られた画像データが通信制御部３０ｅの制御の下、通信部３１を介してサーバ装置２００、又は情報端末２０２に送信される。従って、本検眼システムによれば、サーバ装置２００側で画像データに基づいて画像解析、更には病名特定等の処理をし、あるいは、情報端末２０２により医師等が遠隔地で画像を確認し、診断に関するコメントを検眼装置１に送信する、といった各種の対応が可能となる。
【００６１】
ここで、図８には、本発明の第４の実施形態に係る検眼システムにおけるサーバ装置２００の詳細な構成を示し、説明する。
【００６２】
同図に示されるように、サーバ装置２００は、全体の制御を司るＣＰＵ等の制御部２１０を備えており、該制御部２１０は、通信部２１１、記憶部２１２と接続されている。通信部２１１は、ネットワークを介して検眼装置１等と通信するための通信インタフェースである。記憶部２１２は、ＲＡＭやＲＯＭ等のメモリやＨＤＤ等で構成されており、制御部２１０で実行されるプログラムを記憶している。そして、制御部２１０は、記憶部２１２のプログラムを読み出し実行することで、画像解析部２１０ａ、病名特定部２１０ｂ等として機能する。画像解析部２１０ａは、通信部２１１を介して受信した画像データを解析する。病名特定部２１０ｂは、解析結果に基づいて、病名を特定する。
【００６３】
以上の構成によれば、サーバ装置側で、画像解析結果に基づいて病名まで仮に特定することが可能となるので、救急医療等の現場での活用が期待される。
【００６４】
以上説明したように、本発明の実施形態によれば、以下の効果が奏される。
【００６５】
第１に、本発明の実施形態に係る検眼装置では、駆動部により細隙灯部を被検者の眼球の配列方向に移動させながら、位置決めして、その各過程で、撮像部により眼球の撮影を行い、得られた画像信号を画像処理して、遠隔にある情報端末に送信して、当該情報端末で医師等が確認し検眼に係る診断を行うことも可能となるので、救急医療の現場や医師が不足している過疎地での対応等に好適である。
【００６６】
また、検眼装置が、外部のサーバ装置と通信自在であるので、検眼装置にて、駆動部により細隙灯部を、被検者の眼球の配列方向に移動させながら、位置決めして、その各過程で、撮像部により眼球の撮影を行い、得られた画像信号を画像処理して、遠隔にあるサーバ装置に送信して、当該サーバ装置で画像解析、更には病名診断までを行い、その結果を検眼装置や情報端末に送信することもできるので、複雑なアルゴリズムによる病名診断等で精度の高い、診断を行うことも可能となる。この場合、検査結果をデータベースに蓄積しておくことで、膨大なデータからなるライブラリが蓄積されるので、ディープラーニング等を導入して、診察の自動化、制度を更に高めることも期待できる。
【００６７】
以上、本発明の第１乃至第４の実施形態について説明したが、本発明はこれに限定されることなくその趣旨を逸脱しない範囲で種々の改良・変更が可能である。
【００６８】
例えば、上記実施形態では、筐体として、ゴーグル型のものを採用したが、これに限定されることなく、細隙灯部等を実装できる領域が確保でき、被検者への着用に安定性があるものであれば、各種のものを採用することができる。
【００６９】
また、１台の検眼装置で、簡易視力検査、眼球運動検査、及び黄斑変性の自覚検査など、多数の簡易な視機能検査に対応することができる。
【符号の説明】
【００７０】
１…検眼装置、２…筐体、３…制御ユニット、４ａ…撮像部、４ｂ…撮像部、５…細隙灯部、６…駆動部、７…駆動軸、８…固定部、９…表示部、１０…ベルト、２１…電源部、２２…光源、２３…反射ミラー、２４…コンデンサレンズ、２５…フィルタ部、２６…投影レンズ、２７…照明プリズム、３０…制御部、３０ａ…主制御部、３０ｂ…画像処理部、３０ｃ…表示制御部、３０ｄ…駆動制御部、３０ｅ…通信制御部、３０ｆ…音声認識部、３０ｇ…判定部、３１…通信部、３２…記憶部、３３…音声入力部、３４…音声出力部、３５…電源部、３６…操作部、５０…検眼装置、５１…筐体、５２…制御ユニット、５３ａ…撮像部、５３ｂ…撮像部、５４…細隙灯部、５５…駆動部、５６…駆動軸、５７…固定部、５８…表示部、５９…ベルト、７０…検眼装置、７１…筐体、７２…制御ユニット、７３ａ…撮像部、７３ｂ…撮像部、７４…細隙灯部、７５…駆動部、７６…駆動軸、７７…固定部、７８…表示部、７９ａ…テンプル、７９ｂ…テンプル、２００…サーバ装置、２０１…ネットワーク、２０２…携帯端末、２１０…制御部、２１０ａ…画像解析部、２１０ｂ…病名特定部、２１１…通信部、２１２…記憶部。
【図１】
2020018605.tif 000003
【図２】
2020018605.tif 000004
【図３】
2020018605.tif 000005
【図４】
2020018605.tif 000006
【図５】
2020018605.tif 000007
【図６】
2020018605.tif 000008
【図７】
2020018605.tif 000009
【図８】
2020018605.tif 000010